【手続補正書】
【提出日】平成26年5月21日(2014.5.21)
【手続補正１】
【補正対象書類名】特許請求の範囲
【補正対象項目名】全文
【補正方法】変更
【補正の内容】
【特許請求の範囲】
【請求項１】
第１通信デバイスに実装される方法であって、
帯域幅を有する制御フレームを生成する段階と、
前記制御フレームの前記帯域幅を有し、複数の通信チャネルを含む第１複合通信チャネルを介して、前記制御フレームを送信する段階と、
前記制御フレームの送信を受けて第２通信デバイスから受信した応答フレームの帯域幅を決定する段階と、
前記応答フレームの前記帯域幅に基づいて、前記複数の通信チャネルのうちの少なくとも１つの通信チャネルを含む第２複合通信チャネルを決定する段階と、
前記第２複合通信チャネルを介して前記第２通信デバイスに１以上のデータフレームを送信する段階と
を備える方法。
【請求項２】
前記制御フレームは、送信要求（ＲＴＳ）フレームであり、
前記応答フレームは、送信準備完了（ＣＴＳ）フレームである、請求項１に記載の方法。
【請求項３】
前記第１複合通信チャネルは、複数の帯域幅部分を含み、
前記制御フレームを送信する段階は、
前記複数の帯域幅部分において複製された信号を送信する段階を有する、請求項１または２に記載の方法。
【請求項４】
前記第２複合通信チャネルは、前記第１通信デバイスの送信機会期間（ＴＸＯＰ）を送信するものであり、
前記第２複合通信チャネルを介して前記第２通信デバイスに前記１以上のデータフレームを送信する段階は、
前記１以上のデータフレームを前記ＴＸＯＰ中に送信する段階を有する、請求項１から３のいずれか一項に記載の方法。
【請求項５】
前記第２複合通信チャネルの前記帯域幅とは異なる帯域幅を有する後続する制御フレームを生成する段階と、
前記後続する制御フレームの前記帯域幅を有する第３複合通信チャネルを介して、前記ＴＸＯＰ中に前記後続する制御フレームを送信する段階と、
前記後続する制御フレームの送信を受けて受信した後続する応答フレームの帯域幅を決定する段階と、
前記後続する応答フレームの前記帯域幅に基づいて、第４複合通信チャネルを決定する段階と、
前記第４複合通信チャネルを介して前記ＴＸＯＰ中に１以上の後続するデータフレームを送信する段階と
をさらに備える、請求項４に記載の方法。
【請求項６】
帯域幅を有する制御フレームを生成して、
前記制御フレームの前記帯域幅を有し、複数の通信チャネルを含む第１複合通信チャネルを介して、前記制御フレームを送信して、
前記制御フレームの送信を受けて別の通信デバイスから受信した応答フレームの帯域幅を決定して、
前記応答フレームの前記帯域幅に基づいて、前記複数の通信チャネルのうちの少なくとも１つの通信チャネルを含む第２複合通信チャネルを決定して、
前記第２複合通信チャネルを介して前記別の通信デバイスに１以上のデータフレームを送信するネットワークインタフェースを備える通信デバイス。
【請求項７】
前記制御フレームは、送信要求（ＲＴＳ）フレームであり、
前記応答フレームは、送信準備完了（ＣＴＳ）フレームである、請求項６に記載の通信デバイス。
【請求項８】
前記第１複合通信チャネルは、複数の帯域幅部分を含み、
前記ネットワークインタフェースは、送信される前記複数の帯域幅部分における信号の複製に基づいて、第１複合通信チャネルを介して前記制御フレームを送信する、請求項６または７に記載の通信デバイス。
【請求項９】
前記第２複合通信チャネルは、前記通信デバイスの送信機会期間（ＴＸＯＰ）を送信するものであり、
前記ネットワークインタフェースは、前記１以上のデータフレームを前記ＴＸＯＰ中に送信する、請求項６から８のいずれか一項に記載の通信デバイス。
【請求項１０】
前記ネットワークインタフェースが、
前記第２複合通信チャネルの前記帯域幅とは異なる帯域幅を有する後続する制御フレームを生成して、
前記後続する制御フレームの前記帯域幅を有する第３複合通信チャネルを介して、前記ＴＸＯＰ中に前記後続する制御フレームを送信して、
前記後続する制御フレームの送信を受けて受信した後続する応答フレームの帯域幅を決定して、
前記後続する応答フレームの前記帯域幅に基づいて、第４複合通信チャネルを決定して、
前記第４複合通信チャネルを介して前記ＴＸＯＰ中に１以上の後続するデータフレームを送信する、請求項９に記載の通信デバイス。
【請求項１１】
通信デバイスに実装される方法であって、
帯域幅を有する制御フレームを、前記制御フレームの前記帯域幅を有し、複数の通信チャネルを含む第１複合通信チャネルを介して受信する段階と、
前記制御フレームを受信するのに利用した前記複数の通信チャネルのうちの一式の通信チャネルを決定する段階と、
前記制御フレームを受信するのに利用した前記一式の通信チャネルの決定に基づいて、第２複合通信チャネルを決定する段階と、
前記第２複合通信チャネルを示す応答フレームを生成する段階と、
前記制御フレームを受けて前記応答フレームを送信する段階と
を備える方法。
【請求項１２】
前記制御フレームは、送信要求（ＲＴＳ）フレームであり、
前記応答フレームは、送信準備完了（ＣＴＳ）フレームである、請求項１１に記載の方法。
【請求項１３】
前記応答フレームを送信する段階は、
前記応答フレームを、前記第２複合通信チャネルで送信する段階を有する、請求項１１または１２に記載の方法。
【請求項１４】
前記第２複合通信チャネルは、複数の帯域幅部分を含み、
前記応答フレームを送信する段階は、
前記複数の帯域幅部分において複製された信号を送信する段階を有する、請求項１３に記載の方法。
【請求項１５】
前記応答フレームを生成する段階は、
前記応答フレームを、前記第２複合通信チャネルを示す情報を含むように生成する段階を有する、請求項１１から１４のいずれか一項に記載の方法。
【請求項１６】
前記第２複合通信チャネルを決定する段階は、
前記複数の通信チャネルのうちの１以上のチャネルのみを含むように、前記第２複合通信チャネルを決定する段階を有する、請求項１１から１５のいずれか一項に記載の方法。
【請求項１７】
前記第２複合通信チャネルを決定する段階は、
通信プロトコルに従って、前記複数の通信チャネルのうちのチャネルの有効な組み合わせのみを含むように、前記第２複合通信チャネルを決定する段階を有する、請求項１１から１６のいずれか一項に記載の方法。
【請求項１８】
前記第２複合通信チャネルを決定する段階は、
前記制御フレームを受信した通信チャネルが、前記制御フレームの開始前の、少なくともゼロではない期間の間アイドルであったかを判断する段階を有する、請求項１１から１７のいずれか一項に記載の方法。
【請求項１９】
前記制御フレームを受信した通信チャネルが、前記制御フレームの開始前の、少なくとも前記ゼロではない期間の間アイドルであったかを判断する段階は、
前記制御フレームを受信した前記通信チャネルが、前記制御フレームの開始前の少なくとも定義された期間の間アイドルであったかを判断する段階を含む、請求項１８に記載の方法。
【請求項２０】
帯域幅を有する制御フレームを、前記制御フレームの前記帯域幅を有し、複数の通信チャネルを含む第１複合通信チャネルを介して受信して、
前記制御フレームを受信するのに利用した前記複数の通信チャネルのうちの一式の通信チャネルを決定して、
前記制御フレームを受信するのに利用した前記一式の通信チャネルの決定に基づいて、第２複合通信チャネルを決定して、
前記第２複合通信チャネルを示す応答フレームを生成して、
前記制御フレームを受けて前記応答フレームを送信するネットワークインタフェースを備える通信デバイス。
【請求項２１】
前記制御フレームは、送信要求（ＲＴＳ）フレームであり、
前記応答フレームは、送信準備完了（ＣＴＳ）フレームである、請求項２０に記載の通信デバイス。
【請求項２２】
前記ネットワークインタフェースは、前記応答フレームを前記第２複合通信チャネルで送信する、請求項２０または２１に記載の通信デバイス。
【請求項２３】
前記第２複合通信チャネルは、複数の帯域幅部分を含み、
前記ネットワークインタフェースは、前記複数の帯域幅部分において複製された信号を送信する、請求項２２に記載の通信デバイス。
【請求項２４】
前記ネットワークインタフェースは、前記応答フレームを、前記第２複合通信チャネルを示す情報を含むように生成する、請求項２０から２３のいずれか一項に記載の通信デバイス。
【請求項２５】
前記ネットワークインタフェースは、前記複数の通信チャネルのうちの１以上のチャネルのみを含むように、前記第２複合通信チャネルを決定する、請求項２０から２４のいずれか一項に記載の通信デバイス。
【請求項２６】
前記ネットワークインタフェースは、通信プロトコルに従って、前記複数の通信チャネルのうちのチャネルの有効な組み合わせのみを含むように、前記第２複合通信チャネルを決定する、請求項２０から２５のいずれか一項に記載の通信デバイス。
【請求項２７】
前記ネットワークインタフェースは、前記制御フレームを受信した通信チャネルを、前記第２複合通信チャネルに含めるかの判断を、前記通信チャネルが、前記制御フレームの開始前の、少なくともゼロではない期間の間アイドルであったかを判断することに基づいて行う、請求項２０から２６のいずれか一項に記載の通信デバイス。
【請求項２８】
前記ネットワークインタフェースは、前記制御フレームを受信した前記通信チャネルを、前記第２複合通信チャネルに含めるかの判断を、前記制御フレームを受信した前記通信チャネルが、前記制御フレームの開始前の少なくとも定義された期間の間アイドルであったかを判断することに基づいて行う段階を含む、請求項２７に記載の通信デバイス。
【手続補正２】
【補正対象書類名】明細書
【補正対象項目名】０１５２
【補正方法】変更
【補正の内容】
【０１５２】
本発明を、特定の例を参照して説明してきたが、これらの例は、本発明のあくまで例示であり、限定は意図していない。本発明の範囲を逸脱せずに、開示されている実施形態に対して変更、追加、および／または削除を行うことができる。
［項目１］
第１通信デバイスに実装される方法であって、
帯域幅を有する制御フレームを生成する段階と、
前記制御フレームの前記帯域幅を有し、複数の通信チャネルを含む第１複合通信チャネルを介して、前記制御フレームを送信する段階と、
前記制御フレームの送信を受けて第２通信デバイスから受信した応答フレームの帯域幅を決定する段階と、
前記応答フレームの前記帯域幅に基づいて、前記複数の通信チャネルのうちの少なくとも１つの通信チャネルを含む第２複合通信チャネルを決定する段階と、
前記第２複合通信チャネルを介して前記第２通信デバイスに１以上のデータフレームを送信する段階と
を備える方法。
［項目２］
前記制御フレームは、送信要求（ＲＴＳ）フレームであり、
前記応答フレームは、送信準備完了（ＣＴＳ）フレームである、項目１に記載の方法。
［項目３］
前記第１複合通信チャネルは、複数の帯域幅部分を含み、
前記制御フレームを送信する段階は、
前記複数の帯域幅部分において複製された信号を送信する段階を有する、項目１に記載の方法。
［項目４］
前記第２複合通信チャネルは、前記第１通信デバイスの送信機会期間（ＴＸＯＰ）を送信するものであり、
前記第２複合通信チャネルを介して前記第２通信デバイスに前記１以上のデータフレームを送信する段階は、
前記１以上のデータフレームを前記ＴＸＯＰ中に送信する段階を有する、項目１に記載の方法。
［項目５］
前記第２複合通信チャネルの前記帯域幅とは異なる帯域幅を有する後続する制御フレームを生成する段階と、
前記後続する制御フレームの前記帯域幅を有する第３複合通信チャネルを介して、前記ＴＸＯＰ中に前記後続する制御フレームを送信する段階と、
前記後続する制御フレームの送信を受けて受信した後続する応答フレームの帯域幅を決定する段階と、
前記後続する応答フレームの前記帯域幅に基づいて、第４複合通信チャネルを決定する段階と、
前記第４複合通信チャネルを介して前記ＴＸＯＰ中に１以上の後続するデータフレームを送信する段階と
をさらに備える、項目４に記載の方法。
［項目６］
帯域幅を有する制御フレームを生成して、
前記制御フレームの前記帯域幅を有し、複数の通信チャネルを含む第１複合通信チャネルを介して、前記制御フレームを送信して、
前記制御フレームの送信を受けて別の通信デバイスから受信した応答フレームの帯域幅を決定して、
前記応答フレームの前記帯域幅に基づいて、前記複数の通信チャネルのうちの少なくとも１つの通信チャネルを含む第２複合通信チャネルを決定して、
前記第２複合通信チャネルを介して前記別の通信デバイスに１以上のデータフレームを送信するネットワークインタフェースを備える通信デバイス。
［項目７］
前記制御フレームは、送信要求（ＲＴＳ）フレームであり、
前記応答フレームは、送信準備完了（ＣＴＳ）フレームである、項目６に記載の通信デバイス。
［項目８］
前記第１複合通信チャネルは、複数の帯域幅部分を含み、
前記ネットワークインタフェースは、送信される前記複数の帯域幅部分における信号の複製に基づいて、第１複合通信チャネルを介して前記制御フレームを送信する、項目６に記載の通信デバイス。
［項目９］
前記第２複合通信チャネルは、前記通信デバイスの送信機会期間（ＴＸＯＰ）を送信するものであり、
前記ネットワークインタフェースは、前記１以上のデータフレームを前記ＴＸＯＰ中に送信する、項目６に記載の通信デバイス。
［項目１０］
前記ネットワークインタフェースが、
前記第２複合通信チャネルの前記帯域幅とは異なる帯域幅を有する後続する制御フレームを生成して、
前記後続する制御フレームの前記帯域幅を有する第３複合通信チャネルを介して、前記ＴＸＯＰ中に前記後続する制御フレームを送信して、
前記後続する制御フレームの送信を受けて受信した後続する応答フレームの帯域幅を決定して、
前記後続する応答フレームの前記帯域幅に基づいて、第４複合通信チャネルを決定して、
前記第４複合通信チャネルを介して前記ＴＸＯＰ中に１以上の後続するデータフレームを送信する、項目９に記載の通信デバイス。
［項目１１］
通信デバイスに実装される方法であって、
帯域幅を有する制御フレームを、前記制御フレームの前記帯域幅を有し、複数の通信チャネルを含む第１複合通信チャネルを介して受信する段階と、
前記制御フレームを受信するのに利用した前記複数の通信チャネルのうちの一式の通信チャネルを決定する段階と、
前記制御フレームを受信するのに利用した前記一式の通信チャネルの決定に基づいて、第２複合通信チャネルを決定する段階と、
前記第２複合通信チャネルを示す応答フレームを生成する段階と、
前記制御フレームを受けて前記応答フレームを送信する段階と
を備える方法。
［項目１２］
前記制御フレームは、送信要求（ＲＴＳ）フレームであり、
前記応答フレームは、送信準備完了（ＣＴＳ）フレームである、項目１１に記載の方法。
［項目１３］
前記応答フレームを送信する段階は、
前記応答フレームを、前記第２複合通信チャネルで送信する段階を有する、項目１１に記載の方法。
［項目１４］
前記第２複合通信チャネルは、複数の帯域幅部分を含み、
前記応答フレームを送信する段階は、
前記複数の帯域幅部分において複製された信号を送信する段階を有する、項目１３に記載の方法。
［項目１５］
前記応答フレームを生成する段階は、
前記応答フレームを、前記第２複合通信チャネルを示す情報を含むように生成する段階を有する、項目１１に記載の方法。
［項目１６］
前記第２複合通信チャネルを決定する段階は、
前記複数の通信チャネルのうちの１以上のチャネルのみを含むように、前記第２複合通信チャネルを決定する段階を有する、項目１１に記載の方法。
［項目１７］
前記第２複合通信チャネルを決定する段階は、
通信プロトコルに従って、前記複数の通信チャネルのうちのチャネルの有効な組み合わせのみを含むように、前記第２複合通信チャネルを決定する段階を有する、項目１１に記載の方法。
［項目１８］
前記第２複合通信チャネルを決定する段階は、
前記制御フレームを受信した通信チャネルが、前記制御フレームの開始前の、少なくともゼロではない期間の間アイドルであったかを判断する段階を有する、項目１１に記載の方法。
［項目１９］
前記制御フレームを受信した通信チャネルが、前記制御フレームの開始前の、少なくとも前記ゼロではない期間の間アイドルであったかを判断する段階は、
前記制御フレームを受信した前記通信チャネルが、前記制御フレームの開始前の少なくとも定義された期間の間アイドルであったかを判断する段階を含む、項目１８に記載の方法。
［項目２０］
帯域幅を有する制御フレームを、前記制御フレームの前記帯域幅を有し、複数の通信チャネルを含む第１複合通信チャネルを介して受信して、
前記制御フレームを受信するのに利用した前記複数の通信チャネルのうちの一式の通信チャネルを決定して、
前記制御フレームを受信するのに利用した前記一式の通信チャネルの決定に基づいて、第２複合通信チャネルを決定して、
前記第２複合通信チャネルを示す応答フレームを生成して、
前記制御フレームを受けて前記応答フレームを送信するネットワークインタフェースを備える通信デバイス。
［項目２１］
前記制御フレームは、送信要求（ＲＴＳ）フレームであり、
前記応答フレームは、送信準備完了（ＣＴＳ）フレームである、項目２０に記載の通信デバイス。
［項目２２］
前記ネットワークインタフェースは、前記応答フレームを前記第２複合通信チャネルで送信する、項目２０に記載の通信デバイス。
［項目２３］
前記第２複合通信チャネルは、複数の帯域幅部分を含み、
前記ネットワークインタフェースは、前記複数の帯域幅部分において複製された信号を送信する、項目２２に記載の通信デバイス。
［項目２４］
前記ネットワークインタフェースは、前記応答フレームを、前記第２複合通信チャネルを示す情報を含むように生成する、項目２３に記載の通信デバイス。
［項目２５］
前記ネットワークインタフェースは、前記複数の通信チャネルのうちの１以上のチャネルのみを含むように、前記第２複合通信チャネルを決定する、項目２０に記載の通信デバイス。
［項目２６］
前記ネットワークインタフェースは、通信プロトコルに従って、前記複数の通信チャネルのうちのチャネルの有効な組み合わせのみを含むように、前記第２複合通信チャネルを決定する、項目２０に記載の通信デバイス。
［項目２７］
前記ネットワークインタフェースは、前記制御フレームを受信した通信チャネルを、前記第２複合通信チャネルに含めるかの判断を、前記通信チャネルが、前記制御フレームの開始前の、少なくともゼロではない期間の間アイドルであったかを判断することに基づいて行う、項目２０に記載の通信デバイス。
［項目２８］
前記ネットワークインタフェースは、前記制御フレームを受信した前記通信チャネルを、前記第２複合通信チャネルに含めるかの判断を、前記制御フレームを受信した前記通信チャネルが、前記制御フレームの開始前の少なくとも定義された期間の間アイドルであったかを判断することに基づいて行う段階を含む、項目２７に記載の通信デバイス。
［項目２９］
通信デバイスに実装される方法であって、
複数の通信チャネルを含む第１複合通信チャネルに対応しており、１以上のデータフレームを送信するために利用可能な帯域幅を決定する段階と、
前記第１複合通信チャネルを介して送信する旨の要求を示し、ヘッダを含み、前記ヘッダの一部が、前記第１複合通信チャネルの前記帯域幅を示す情報を含む、制御フレームを生成する段階と、
前記制御フレームを、前記第１複合通信チャネルを介して送信する段階と
を備え、
前記ヘッダの少なくとも前記一部は、前記第１複合通信チャネルの複数の帯域幅部分で複製されている、方法。
［項目３０］
前記制御フレームを受けて送信された応答フレームを受信する段階と、
前記応答フレームの帯域幅部分にある、前記応答フレームのヘッダの少なくとも一部を復号する段階と、
前記応答フレームを送信するのに利用した第２複合通信チャネルの帯域幅を示す情報を、前記応答フレームの前記ヘッダの一部から抽出する段階と、
前記第２複合通信チャネルの前記帯域幅に基づいて第３複合通信チャネルを決定する段階と、
前記第３複合通信チャネルを介して１以上のデータフレームを送信する段階と
をさらに備える、項目２９に記載の方法。
［項目３１］
ｉ）前記第１複合通信チャネル、ｉｉ）前記第２複合通信チャネル、および、ｉｉｉ）前記第３複合通信チャネルのうち少なくとも２つが、同じ複合通信チャネルである、項目３０に記載の方法。
［項目３２］
ｉ）前記第１複合通信チャネル、ｉｉ）前記第２複合通信チャネル、および、ｉｉｉ）前記第３複合通信チャネルのうち少なくとも２つが、それぞれ異なる複合通信チャネルである、項目３０に記載の方法。
［項目３３］
前記制御フレームは、送信要求（ＲＴＳ）フレームであり、
前記応答フレームは、送信準備完了（ＣＴＳ）フレームである、項目３０に記載の方法。
［項目３４］
前記第３複合通信チャネルは、送信機会期間（ＴＸＯＰ）を送信するためのものであり、
前記第３複合通信チャネルを介して前記１以上のデータフレームを送信する段階は、
前記１以上のデータフレームを前記ＴＸＯＰ中に送信する段階を有する、項目３０に記載の方法。
［項目３５］
複数の通信チャネルを含む第１複合通信チャネルに対応しており、１以上のデータフレームを送信するために利用可能な帯域幅を決定して、
前記第１複合通信チャネルを介して送信する旨の要求を示し、ヘッダを含み、前記ヘッダの一部が、前記第１複合通信チャネルの前記帯域幅を示す情報を含む、制御フレームを生成して、
前記制御フレームを、前記第１複合通信チャネルを介して送信し、前記ヘッダの少なくとも前記一部が、前記第１複合通信チャネルの複数の帯域幅部分で複製されるネットワークインタフェースを備える通信デバイス。
［項目３６］
前記ネットワークインタフェースは、
前記制御フレームを受けて送信された応答フレームの帯域幅部分にある、前記応答フレームのヘッダの少なくとも一部を復号して、
前記応答フレームを送信するのに利用した第２複合通信チャネルの帯域幅を示す情報を、前記応答フレームの前記ヘッダの一部から抽出して、
前記第２複合通信チャネルの前記帯域幅に基づいて第３複合通信チャネルを決定して、
前記第３複合通信チャネルを介して１以上のデータフレームを送信する、項目３５に記載の通信デバイス。
［項目３７］
ｉ）前記第１複合通信チャネル、ｉｉ）前記第２複合通信チャネル、および、ｉｉｉ）前記第３複合通信チャネルのうち少なくとも２つが、同じ複合通信チャネルである、項目３６に記載の通信デバイス。
［項目３８］
ｉ）前記第１複合通信チャネル、ｉｉ）前記第２複合通信チャネル、および、ｉｉｉ）前記第３複合通信チャネルのうち少なくとも２つが、それぞれ異なる複合通信チャネルである、項目３６に記載の通信デバイス。
［項目３９］
前記制御フレームは、送信要求（ＲＴＳ）フレームであり、
前記応答フレームは、送信準備完了（ＣＴＳ）フレームである、項目３６に記載の通信デバイス。
［項目４０］
前記第３複合通信チャネルは、送信機会期間（ＴＸＯＰ）を送信するためのものであり、
前記ネットワークインタフェースは、前記１以上のデータフレームを前記ＴＸＯＰ中に送信する、項目３６に記載の通信デバイス。
［項目４１］
通信デバイスに実装される方法であって、
第１複合通信チャネルの帯域幅を示す情報をヘッダの一部に含み、少なくとも前記ヘッダの一部は前記第１複合通信チャネルの複数の帯域幅部分で複製され、前記第１複合通信チャネルを介して送信された制御フレームを受信する段階と、
前記第１複合通信チャネルの前記複数の帯域幅部分のうち１つにある、前記制御フレームの前記ヘッダの少なくとも前記一部を復号する段階と、
前記第１複合通信チャネルの帯域幅を示す情報を前記制御フレームの前記ヘッダの前記一部から抽出する段階と、
前記第１複合通信チャネルの前記帯域幅に基づいて、第２複合通信チャネルを決定する段階と、
前記第２複合通信チャネルを示す応答フレームを生成する段階と、
前記制御フレームを受けて、前記応答フレームを送信する段階と
を備える方法。
［項目４２］
前記第１複合通信チャネルと前記第２複合通信チャネルとは、同じ複合通信チャネルである、項目４１に記載の方法。
［項目４３］
前記第１複合通信チャネルと前記第２複合通信チャネルとは、それぞれ異なる通信チャネルである、項目４１に記載の方法。
［項目４４］
前記制御フレームは、送信要求（ＲＴＳ）フレームであり、
前記応答フレームは、送信準備完了（ＣＴＳ）フレームである、項目４１に記載の方法。
［項目４５］
前記制御フレームは、第１通信プロトコルに従ってフォーマットされ、
前記制御フレームの前記ヘッダの前記一部は、第２通信プロトコルに従って動作するようには構成されているが、前記第１通信プロトコルに従って動作するようには構成されていないデバイスが、前記ヘッダの前記一部を少なくとも部分的には復号できるようにフォーマットされている、項目４１に記載の方法。
［項目４６］
第１複合通信チャネルを介して送信された前記第１複合通信チャネルの複数の帯域幅部分のうち１つにおいて受信された、前記第１複合通信チャネルの前記複数の帯域幅部分で複製された制御フレームのヘッダの少なくとも一部を復号して、
前記第１複合通信チャネルの帯域幅を示す情報を前記制御フレームの前記ヘッダの一部から抽出して、
前記第１複合通信チャネルの前記帯域幅に基づいて、第２複合通信チャネルを決定して、
前記第２複合通信チャネルを示す応答フレームを生成して、
前記制御フレームを受けて、前記応答フレームを送信するネットワークインタフェースを備える通信デバイス。
［項目４７］
前記第１複合通信チャネルと前記第２複合通信チャネルとは、同じ複合通信チャネルである、項目４６に記載の通信デバイス。
［項目４８］
前記第１複合通信チャネルと前記第２複合通信チャネルとは、それぞれ異なる通信チャネルである、項目４６に記載の通信デバイス。
［項目４９］
前記制御フレームは、送信要求（ＲＴＳ）フレームであり、
前記応答フレームは、送信準備完了（ＣＴＳ）フレームである、項目４６に記載の通信デバイス。
［項目５０］
前記制御フレームは、第１通信プロトコルに従ってフォーマットされ、
前記制御フレームの前記ヘッダの前記一部は、第２通信プロトコルに従って動作するようには構成されているが、前記第１通信プロトコルに従って動作するようには構成されていないデバイスが、前記ヘッダの前記一部を少なくとも部分的には復号できるようにフォーマットされている、項目４６に記載の通信デバイス。
【手続補正３】
【補正対象書類名】明細書
【補正対象項目名】発明の名称
【補正方法】変更
【補正の内容】
【発明の名称】通信デバイスに実装される方法および通信デバイス